(57)【特許請求の範囲】
【請求項１】
踵部、中足部および前足部から構成されるシューズのソール構造体であって、
前足部が湾曲して形成されるミッドソールと、
前記ミッドソールの接地側面に設けられる複数のアウトソールと、を備え、
前記複数のアウトソールが、それぞれ、前記ミッドソールの中足部の前足部側端部からつま先側端部まで一体的に連続して延びるように形成されており、
前記複数のアウトソールのうち少なくとも一つが、網目状に交差している複数の線状の突出部より構成される基部と、前記網目状に交差している複数の線状の突出部の交差点に配置されるグリップ部と、より構成されるグリップ用アウトソールであり、
前記複数のアウトソールが、それぞれ、互いに独立して前記ミッドソールの足幅方向に並ぶように配置され、
前記複数のアウトソールのうちの少なくとも他の一つが、前記ミッドソールの中足部の前足部側端部からつま先にむかう複数の線状の突出部により形成される補強部と、前記補強部の線方向に所定の間隔で一方の線状の突出部と他方の線状の突出部とを繋ぐように形成されるブロック状の連結部と、より構成されるグリップ兼補強用アウトソールである
シューズのソール構造体。
【請求項２】
踵部、中足部および前足部から構成されるシューズのソール構造体であって、
前足部が湾曲して形成されるミッドソールと、
前記ミッドソールの接地側面に設けられる複数のアウトソールと、を備え、
前記複数のアウトソールが、それぞれ、前記ミッドソールの中足部の前足部側端部からつま先側端部まで一体的に連続して延びるように形成されており、
前記複数のアウトソールのうち少なくとも一つが、網目状に交差している複数の線状の突出部より構成される基部と、前記網目状に交差している複数の線状の突出部の交差点に配置されるグリップ部と、より構成されるグリップ用アウトソールであり、
前記複数のアウトソールが、それぞれ、互いに独立して前記ミッドソールの足幅方向に並ぶように配置され、
前記グリップ用アウトソールの前記複数の線状の突出部の交差点には、円柱状グリップ部と円錐状グリップ部とが交互に配置されている
シューズのソール構造体。
【請求項３】
前記複数のアウトソールが、それぞれ、足長方向に延びる単一の接地領域として個別に構成される請求項１または請求項２に記載のシューズのソール構造体。
【請求項４】
前記ミッドソールの足裏側面が、中足部の前足部側端部からつま先側端部またはつま先側端部近傍までの領域で平坦な面に形成されている請求項１から請求項３のいずれか一項に記載のシューズのソール構造体。
【請求項５】
前記アウトソールがポリウレタンで構成されている請求項１から請求項４のいずれか一項に記載のシューズのソール構造体。
【発明の詳細な説明】
【技術分野】
【０００１】
本発明は、シューズのソール構造体に関する。詳しくは、衝撃を吸収するミッドソールと接地面をグリップするアウトソールとを備えるシューズのソール構造体に関する。
【背景技術】
【０００２】
従来、ランニング用のシューズには、装着感や走行感を向上させるための軽量性と走行効率を向上させるための前足部の屈曲時の反発性が求められる。このようなランニング用のシューズは、ソール構造体の主な構成要素であるミッドソールの肉厚を薄くすることで重量を軽くすることができる。一方、ランニング用のシューズは、ミッドソールの肉厚を厚くすることで反発力を大きくすることができる。つまり、軽量性を重視してミッドソールの肉厚を薄くしたシューズは、反発力が減少し、反発性を重視してミッドソールの肉厚を厚くしたシューズは、重量が増加する。このような問題を解決するシューズとして、従来、例えば特許文献１のような構成が知られている。
【０００３】
特許文献１に記載の靴底には、蹴り出し時の前足部の屈曲時に反発力を発生させる強化要素である樹脂パーツが設けられている。この樹脂パーツは、靴底の屈曲時に圧縮応力と引張応力とが釣り合う靴底厚み方向の中立線の近傍であるミッドソールとアウトソールとの間に配置されており、また、前足部の内側と前足部の外側と中足部とを連結するように形成されている。しかしながら、特許文献１に記載の靴底は、前足部の屈曲時に樹脂パーツによる反発力が発生しているが、樹脂パーツが中立線の近傍に配置されているため屈曲量が抑制されている。また、ミッドソールおよびアウトソールとは別個に樹脂パーツが設けられることにより部品点数が増加し、また、ミッドソールの衝撃吸収性やアウトソールのグリップ性を確保しながら靴底に別個に樹脂パーツを設ける必要があるため、樹脂パーツ分の重量が増加するという問題点があった。さらに、樹脂パーツは、ミッドソールやアウトソールの形状に合わせた形状に形成されているため曲げ剛性が均一でないという問題点もあった。従って、靴底全体を軽量化しつつ前足部のつま先近傍から中足部にかけて屈曲度合いに応じた反発力を得るには不利なソール構造であった。
【先行技術文献】
【特許文献】
【０００４】
【特許文献１】国際公開第２００８／０４７５３８号明細書
【発明の概要】
【発明が解決しようとする課題】
【０００５】
本発明の目的は、ソール全体を軽量化しつつ前足部のつま先近傍から中足部にかけて屈曲度合いに応じた反発力を得ることができるシューズのソール構造体の提供を目的とする。
【課題を解決するための手段】
【０００６】
本発明の解決しようとする課題は以上の如くであり、次にこの課題を解決するための手段を説明する。
【０００７】
即ち、踵部、中足部および前足部から構成されるシューズのソール構造体であって、前足部が湾曲して形成されるミッドソールと、前記ミッドソールの接地側面に設けられる複数のアウトソールと、を備え、前記複数のアウトソールが、それぞれ、前記ミッドソールの中足部の前足部側端部からつま先側端部まで一体的に連続して延びるように形成されており、前記複数のアウトソールのうち少なくとも一つが、網目状に交差している複数の線状の突出部より構成される基部と、前記網目状に交差している複数の線状の突出部の交差点に配置されるグリップ部と、より構成されるグリップ用アウトソールであり、前記複数のアウトソールが、それぞれ、互いに独立して前記ミッドソールの足幅方向に並ぶように配置され、前記複数のアウトソールのうちの少なくとも他の一つが、前記ミッドソールの中足部の前足部側端部からつま先にむかう複数の線状の突出部により形成される補強部と、前記補強部の線方向に所定の間隔で一方の線状の突出部と他方の線状の突出部とを繋ぐように形成されるブロック状の連結部と、より構成されるグリップ兼補強用アウトソールであるものである。
【０００８】
踵部、中足部および前足部から構成されるシューズのソール構造体であって、前足部が湾曲して形成されるミッドソールと、前記ミッドソールの接地側面に設けられる複数のアウトソールと、を備え、前記複数のアウトソールが、それぞれ、前記ミッドソールの中足部の前足部側端部からつま先側端部まで一体的に連続して延びるように形成されており、前記複数のアウトソールのうち少なくとも一つが、網目状に交差している複数の線状の突出部より構成される基部と、前記網目状に交差している複数の線状の突出部の交差点に配置されるグリップ部と、より構成されるグリップ用アウトソールであり、前記複数のアウトソールが、それぞれ、互いに独立して前記ミッドソールの足幅方向に並ぶように配置され、前記グリップ用アウトソールの前記複数の線状の突出部の交差点には、円柱状グリップ部と円錐状グリップ部とが交互に配置されているものである。
【０００９】
前記複数のアウトソールが、それぞれ、足長方向に延びる単一の接地領域として個別に構成されるものである。
【００１０】
前記ミッドソールの足裏側面が、中足部の前足部側端部からつま先側端部またはつま先側端部近傍までの領域で平坦な面に形成されているものである。
【００１１】
前記アウトソールがポリウレタンで構成されているものである。
【発明の効果】
【００１２】
本発明の効果として、以下に示すような効果を奏する。
【００１３】
シューズのソール構造体において、複数のアウトソールが、それぞれ、ミッドソールの中足部の前足部側端部からつま先側端部またはその近傍まで一体的に連続して延びるように形成されるとともに、ソール厚み方向の中立線から離れた接地面側に配置されるので、アウトソールが不連続に形成されている場合や反発部材（アウトソール）がソールの厚み方向の中立線上近傍に配置される場合と比べて、ソール前足部の屈曲時におけるソールの接地面側の引張剛性を高くすることができる。また、上記構成では、ミッドソールおよびアウトソールに反発力を得るためのみの樹脂パーツを設けた構成とは異なり、部品点数および重量が増加するのを抑制することもできる。これにより、ソール全体を軽量化しつつ前足部のつま先近傍から中足部にかけて屈曲度合いに応じた反発力を得ることができる。また、シューズのソール構造体において、好ましくは、複数のアウトソールを、それぞれ、互いに独立してミッドソールの足幅方向に並ぶように配置することによって、前足部の足幅方向の屈曲に抗する力の発生が抑制される。これにより、前足部の足幅方向の屈曲の柔軟性を向上させつつ前足部のつま先近傍から中足部にかけて屈曲度合いに応じた反発力を得ることができる。
【００１４】
シューズのソール構造体において、複数のアウトソールのうち少なくとも一つを、ミッドソールの中足部の前足部側端部からつま先に向かう線状の突出部を設けることによって、前足部の屈曲に起因して線状の突出部の両端が引っ張られることにより生じる張力を維持することができる。すなわち、アウトソールが不連続に形成されている場合に比べて、アウトソールの引張剛性が高くなり、前足部の屈曲時に各アウトソールに加わる引張力に抗する力が増大する。これにより、さらにソール全体を軽量化しつつ前足部のつま先近傍から中足部にかけて屈曲度合いに応じた反発力を得ることができる。また、円柱状グリップ部が硬い路面との間にグリップ力を発生させ、円錐状グリップ部が柔らかい路面との間にグリップ力を発生させるように構成されており、グリップ用アウトソールは、硬い路面のアスファルトや柔らかい路面のタータントラックなど様々な路面に対してグリップ力を発生させることができる。
【００１５】
シューズのソール構造体において、好ましくは、複数のアウトソールを、それぞれ、足長方向に延びる単一の接地領域として個別に構成することによって、前足部の屈曲時に足長方向に延びる単一の接地領域ごとに引張力に抗する力を発生させることができる。これにより、前足部の所定の部分が大きく屈曲した場合にも、その部分に対応する単一の接地領域で確実に反発力を得ることができる。さらに、前足部のつま先近傍から中足部にかけて屈曲度合いに応じた反発力を得ることができる。
【００１６】
シューズのソール構造体において、好ましくは、ミッドソールの足裏側面を中足部の前足部側端部からつま先側端部またはその近傍までの領域で平坦面に形成することによって、ミッドソールの足裏側面に屈曲性を向上させる溝部等が形成されている場合に比べて、ミッドソールの足裏側の圧縮剛性が高くなるように構成されている。これにより、さらにソール全体を軽量化しつつ前足部のつま先近傍から中足部にかけて屈曲度合いに応じた反発力を得ることができる。
【００１７】
シューズのソール構造体において、好ましくは、ソール厚み方向の中立線から離れた接地面側に配置されているアウトソールを剛性の高いポリウレタンで構成することによって、ソールの屈曲時の引張力に抗する力を効率的に増大させる。これにより、さらにソール全体を軽量化しつつ前足部のつま先近傍から中足部にかけて屈曲度合いに応じた反発力を得ることができる。
【図面の簡単な説明】
【００１８】
【図１】シューズのソール構造体の一実施形態おける接地面を示す平面図。
【図２】（ａ）シューズのソール構造体の一実施形態おける側面図（ｂ）同じく図１    のＡ矢視端面を示す図。
【図３】（ａ）シューズのソール構造体の一実施形態おける装着者の足裏側面を示す    平面図（ｂ）同じく図３（ａ）におけるＢ矢視端面を示す図。
【図４】（ａ）シューズのソール構造体の一実施形態おけるグリップ兼補強用アウト    ソールの平面、側面および断面を示す図（ｂ）同じくグリップ用アウトソールの平面    および断面を示す図。
【図５】シューズのソール構造体の一実施形態おける接地面において屈曲時の引張力    に抗する方向に働く力の状態を示す図。
【図６】シューズのソール構造体の一実施形態おける屈曲時の反発力の状態を示す図    。
【発明を実施するための形態】
【００１９】
初めに、図１から図３を用いて、シューズのソール構造体の一実施形態であるシューズのソール構造体１について説明する。
【００２０】
図１に示すように、シューズのソール構造体１は、踵部Ｈ、中足部Ｍおよび前足部Ｆから構成されている。シューズのソール構造体１の全長をＬとするとき、中足部Ｍは、シューズのソール構造体１の踵部Ｈの端部を始点として、０．３５Ｌ〜０．５５Ｌで規定される領域に配置されている。また、中足部Ｍの踵部Ｈ側端（踵部Ｈとの境界位置）は、シューズのソール構造体１の踵部Ｈの端部を始点として、０．３５Ｌ〜０．４５Ｌで規定される位置に配置されており、中足部Ｍの前足部Ｆ側端（前足部Ｆとの境界位置）は、シューズのソール構造体１の踵部端を始点として、０．４５Ｌ〜０．５５Ｌで規定される位置に配置されている。
【００２１】
シューズのソール構造体１は、本実施形態においてランニングシューズのソール構造体１である。シューズのソール構造体１は、ミッドソール２、補強プレート３、グリップ兼補強用アウトソール４およびグリップ用アウトソール５を具備する。
【００２２】
ミッドソール２は、シューズのソール構造体１の主な構成体である。ミッドソール２は、エチレン−酢酸ビニル共重合体（ＥＶＡ）等の熱可塑性樹脂の発泡体やポリウレタン（ＰＵ）等の熱硬化性樹脂の発泡体、またはブタジエンラバーやクロロプレンラバー等のラバー素材の発泡体のような軟質弾性部材から構成されている。
【００２３】
ミッドソール２は、踵部Ｈから中足部Ｍの足幅方向の幅（以下、単に「幅」と記す）が踵部Ｈの途中部から中足部Ｍの前足部Ｆ側端にかけて徐々に小さくなるように形成されている。同様に、ミッドソール２は、前足部Ｆの中足部Ｍ側端からシューズの装着者の拇指球の位置と対向する前足部Ｆの位置Ｌ１（踵部Ｈの端部からの長さ）にかけて徐々に大きくなり、前足部Ｆの位置Ｌ１からつま先にかけて徐々に小さくなるように形成されている。ミッドソール２は、位置Ｌ１の幅が最大幅Ｗ１（図１参照）になるように形成されている。
【００２４】
ミッドソール２は、踵部Ｈから中足部Ｍの途中部までの肉厚が略同一の厚さになるように形成されている。さらに、ミッドソール２は、中足部Ｍの途中部から位置Ｌ１にかけて徐々に肉厚が薄くなるように形成されている。一般的にミッドソール２の厚さは、踵部Ｈから前足部Ｆにかけて３ｍｍから１５ｍｍの肉厚に構成されている。なお、本実施形態におけるランニング用のレーシングシューズでは、前足部Ｆが３ｍｍから６ｍｍの肉厚に構成されている。また、ミッドソール２は、前足部Ｆの位置Ｌ１の部分からつま先にかけて地面から離間するように湾曲して形成されている。
【００２５】
図２に示すように、ミッドソール２は、装着者の足裏側の上側ミッドソール２ａと接地面側の下側ミッドソール２ｂとから構成されている。ミッドソール２は、上側ミッドソール２ａの踵部Ｈから中足部Ｍにかけて下側ミッドソール２ｂが重ねられて固着されている。図２（ｂ）に示すように、上側ミッドソール２ａの着用者の足裏側の面である上面２ｃは、着用者の足裏の形状に沿うように形成されている。また、図３（ａ）に示すように、上面２ｃは、平坦な面に形成され、屈曲性を高める溝や凹みを有していない。すなわち、ミッドソール２は、屈曲時の圧縮剛性が高められている。図２と図３（ｂ）とに示すように、上面２ｃの縁部には、上方に立ち上がる巻上げ部２ｄが形成されている。巻上げ部２ｄは、シューズの組立時に甲被（図視せず）が固着されるように構成されている。
【００２６】
図２（ｂ）に示すように、下側ミッドソール２ｂの踵部Ｈと上側ミッドソール２ａの前足部Ｆとの接地側には、グリップ兼補強用アウトソール４およびグリップ用アウトソール５を設けるための踵部段差面２ｅと前足部段差面２ｆとが形成されている。踵部段差面２ｅと前足部段差面２ｆとは、中足部Ｍよりも凹む段差に形成されている。踵部段差面２ｅは、踵部Ｈの端部から装着者の土踏まずに対向する側（以下、単に「内側」と記す）の反対側（以下、単に「外側」と記す）の外縁部に沿うようにして形成されている。前足部段差面２ｆは、前足部Ｆの全面に形成されている。下側ミッドソール２ｂには、踵部Ｈと中足部Ｍの略中央に軽量化のための孔２ｇが形成されている。
【００２７】
補強プレート３は、シューズのソール構造体の中足部Ｍの変形を抑制するものである。補強プレート３は、上側ミッドソール２ａと下側ミッドソール２ｂとに挟まれるようにしてミッドソール２の中足部Ｍに設けられている。補強プレート３は、中足部Ｍから前足部Ｆの中足部Ｍ側端部にかかるように配置されている。補強プレート３は、ミッドソール２よりも剛性が高くなるように熱可塑性ポリウレタン（ＴＰＵ）やポリアミドエラストマー（ＰＡＥ）、ＡＢＳ樹脂等の熱可塑性樹脂、エポキシ樹脂や不飽和ポリエステル樹脂等の熱硬化性樹脂、カーボン繊維や金属繊維等を混入した繊維強化樹脂から構成されている。
【００２８】
次に、図１、図４および図５を用いてグリップ兼補強用アウトソール４とグリップ用アウトソール５とについて説明する。
【００２９】
図４（ａ）に示すように、グリップ兼補強用アウトソール４は、主にミッドソール２の引張剛性を向上させ、かつ地面との間にグリップ力を発生させるものである。グリップ兼補強用アウトソール４は、不織布等の布帛６に、ポリウレタン（ＰＵ）を所定の形状で含浸させて一体的に形成されている。グリップ兼補強用アウトソール４は、布帛６を介してミッドソール２の前足部段差面２ｆに固着されている。なお、本実施形態において、グリップ兼補強用アウトソール４は、好適例であるポリウレタンから構成されているがこれに限定するものではなく、硬度４０Ａ以上の天然ゴム（ＮＲ）、イソプレンゴム（ＩＲ）、ブチルゴム（ＩＩＲ）、スチレンブタジエンゴム（ＳＢＲ）、ニトリルブタジエンゴム（ＮＢＲ）等のゴム材料や硬度８０Ａ以上のポリウレタン（ＰＵ）等の熱硬化性樹脂やカーボンガイバーやグラスファイバーを含む繊維強化樹脂（ＦＲＰ）から構成されていてもよい。
【００３０】
グリップ兼補強用アウトソール４は、補強部４ａと連結部４ｂとから構成されている。補強部４ａは、布帛６上に所定の間隔で並び、任意の二点間を結ぶ複数の線状の突出部（本実施形態においては二本）である線状部材から構成されている。補強部４ａには、複数のブロック状の連結部４ｂが補強部４ａの線方向に所定の間隔で一方の線状部材と他方の線状部材とを繋ぐように形成されている。連結部４ｂは、補強部４ａを構成する線状部材同士を連結して一体的に構成するとともに、地面との間でグリップ力を発揮するように構成されている。これにより、グリップ兼補強用アウトソール４は、複数の連結部４ｂで一体的に構成されている二本の線状部材からなる補強部４ａが略直線状に任意の二点間を結ぶので単位荷重当たりのグリップ兼補強用アウトソール４の伸びを小さくすることができる。つまり、グリップ兼補強用アウトソール４は、重量の増加を抑制しつつ剛性を高くすることができる。また、グリップ兼補強用アウトソール４は、連結部４ｂが所定の間隔で形成されているので地面との間にグリップ力を発生させることができる。
【００３１】
図４（ｂ）に示すように、グリップ用アウトソール５は、主に地面との間にグリップ力を発生させるものである。グリップ用アウトソール５は、グリップ兼補強用アウトソール４と同様に、不織布等の布帛６に、ポリウレタン（ＰＵ）を所定の形状で含浸させて一体的に形成されている。グリップ用アウトソール５は、布帛６を介してミッドソール２の踵部段差面２ｅと前足部段差面２ｆとに固着されている。なお、本実施形態において、グリップ用アウトソール５は、好適例であるポリウレタンから構成されているがこれに限定するものではなく、硬度４０Ａ以上の天然ゴム（ＮＲ）、イソプレンゴム（ＩＲ）、ブチルゴム（ＩＩＲ）、スチレンブタジエンゴム（ＳＢＲ）、ニトリルブタジエンゴム（ＮＢＲ）等のゴム材料や硬度８０Ａ以上のポリウレタン（ＰＵ）等の熱硬化性樹脂から構成されていてもよい。
【００３２】
グリップ用アウトソール５は、基部５ａと円柱状グリップ部５ｂと円錐状グリップ部５ｃとから構成されている。基部５ａは、布帛６上に網目状に交差している複数の線状の突出部である線状部材から構成されている。基部５ａである線状部材の交差点には、円柱状グリップ部５ｂと円錐状グリップ部５ｃとが交互に配置されている。つまり、グリップ用アウトソール５は、円柱状グリップ部５ｂと円錐状グリップ部５ｃとが網目状の基部５ａを介して布帛６に設けられているので、重量の増加を抑制しつつ円柱状グリップ部５ｂと円錐状グリップ部５ｃの布帛６に対する固着面積を増大させて固着強度を向上させている。さらに、グリップ用アウトソール５は、円柱状グリップ部５ｂと円錐状グリップ部５ｃとが基部５ａによって複数の方向から支持されているので円柱状グリップ部５ｂと円錐状グリップ部５ｃとの剛性を高くすることができるとともに、円柱状グリップ部５ｂと円錐状グリップ部５ｃとに加わる力を分散して受け止めることができる。また、グリップ用アウトソール５は、円柱状グリップ部５ｂが硬い路面との間にグリップ力を発生させ、円錐状グリップ部５ｃが柔らかい路面との間にグリップ力を発生させるように構成されている。これにより、グリップ用アウトソール５は、硬い路面のアスファルトや柔らかい路面のタータントラックなど様々な路面に対してグリップ力を発生させることができる。
【００３３】
次に、図５を用いてシューズのソール構造体１におけるグリップ兼補強用アウトソール４とグリップ用アウトソール５とについて具体的に説明する。
【００３４】
図５に示すように、ミッドソール２の前足部Ｆ（前足部段差面２ｆ）には、布帛６を介してグリップ兼補強用アウトソール４を構成する外側グリップ兼補強用アウトソール４ｃ、内側グリップ兼補強用アウトソール４ｄ、グリップ用アウトソール５を構成する外側グリップ用アウトソール５ｄ、中央グリップ用アウトソール５ｅおよび内側グリップ用アウトソール５ｆが設けられている。
【００３５】
グリップ兼補強用アウトソール４は、足長方向に沿って延びる中心線Ｃよりも内側（内甲側）と外側（外甲側）とに同数（本実施形態では１つずつ）設けられている。具体的には、外側グリップ兼補強用アウトソール４ｃは、中心線Ｃよりも外側に配置され、内側グリップ兼補強用アウトソール４ｄは、中心線Ｃよりも内側に配置されている。なお本実施形態において、グリップ兼補強用アウトソール４は、中心線Ｃよりも内側と外側とに一本ずつ設けられているがこれに限定されるものではなく、中心線Ｃよりも内側と外側とにそれぞれ異なる数のグリップ兼補強用アウトソール４を設けてもよい。
【００３６】
外側グリップ兼補強用アウトソール４ｃは、ミッドソール２の前足部Ｆの最大幅Ｗ１の位置の外側端（土踏まず側の反対側）から任意の距離だけ離間した位置に設けられている。さらに、外側グリップ兼補強用アウトソール４ｃは、前足部Ｆの中足部Ｍ側端部からつま先側端部までを略直線状に結ぶように設けられている。つまり、外側グリップ兼補強用アウトソール４ｃは、前足部Ｆの中足部Ｍ側端部からつま先側端部まで線状部材の湾曲形状等によるたわみ代を構成することなく一体的に連続して形成されている。これにより、外側グリップ兼補強用アウトソール４ｃは、単一の接地領域（白抜領域）を構成している。
【００３７】
内側グリップ兼補強用アウトソール４ｄは、ミッドソール２の前足部Ｆの最大幅Ｗ１の位置の内側端（土踏まず側）から任意の距離だけ離間した位置に設けられている。さらに、内側グリップ兼補強用アウトソール４ｄは、前足部Ｆの中足部Ｍ側端部からつま先側端部までを略直線状に結ぶように設けられている。つまり、内側グリップ兼補強用アウトソール４ｄは、前足部Ｆの中足部Ｍ側端部からつま先側端部まで線状部材の湾曲形状等による線状部材の湾曲等によるたわみ代を構成することなく一体的に連続して形成されている。これにより、内側グリップ兼補強用アウトソール４ｄは、単一の接地領域（白抜領域）を構成している。
【００３８】
外側グリップ用アウトソール５ｄは、外側グリップ兼補強用アウトソール４ｃよりも外側の前側部の領域であって前足部Ｆの中足部Ｍ側端部からつま先側端部に至るまでの範囲に設けられている。つまり、外側グリップ用アウトソール５ｄは、前足部Ｆの中足部Ｍ側端部からつま先側端部まで一体的に連続して形成されている。これにより、外側グリップ用アウトソール５ｄは、単一の接地領域（薄墨領域）を構成している。
【００３９】
中央グリップ用アウトソール５ｅは、外側グリップ兼補強用アウトソール４ｃと内側グリップ兼補強用アウトソール４ｄとに囲まれた前側部の領域であって前足部Ｆの中足部Ｍ側端部からつま先側端部に至るまでの範囲に設けられている。つまり、中央グリップ用アウトソール５ｅは、前足部Ｆの中足部Ｍ側端部からつま先側端部まで一体的に連続して形成されている。これにより、中央グリップ用アウトソール５ｅは、単一の接地領域（薄墨領域）を構成している。
【００４０】
内側グリップ用アウトソール５ｆは、内側グリップ兼補強用アウトソール４ｄよりも内側（土踏まず側）の前側部の領域であって前足部Ｆの中足部Ｍ側端部からつま先側端部に至るまでの範囲に設けられている。つまり、内側グリップ用アウトソール５ｆは、前足部Ｆの中足部Ｍ側端部からつま先側端部まで一体的に連続して形成されている。これにより、内側グリップ用アウトソール５ｆは、単一の接地領域（薄墨領域）を構成している。
【００４１】
このようにミッドソール２の前足部Ｆには、外側グリップ兼補強用アウトソール４ｃ、内側グリップ兼補強用アウトソール４ｄ、外側グリップ用アウトソール５ｄ、中央グリップ用アウトソール５ｅおよび内側グリップ用アウトソール５ｆが、それぞれ独立して変形可能な状態で前足部Ｆの中足部Ｍ側端部からつま先側端部まで一体的に連続して形成されている。また、ミッドソール２の前足部Ｆには、外側グリップ用アウトソール５ｄ、外側グリップ兼補強用アウトソール４ｃ、中央グリップ用アウトソール５ｅ、内側グリップ兼補強用アウトソール４ｄ、内側グリップ用アウトソール５ｆが順に外側から幅方向に並ぶように配置されている。このように構成することで、グリップ兼補強用アウトソール４を構成する各アウトソールおよびグリップ用アウトソール５を構成する各アウトソールが互いに影響されることなく屈曲される。なお、本実施形態において、ミッドソール２の前足部Ｆには、外側グリップ兼補強用アウトソール４ｃ、内側グリップ兼補強用アウトソール４ｄ、外側グリップ用アウトソール５ｄ、中央グリップ用アウトソール５ｅおよび内側グリップ用アウトソール５ｆを設けているがこれに限定するものではなく、グリップ兼補強用アウトソール４とグリップ用アウトソール５との数やその位置は任意に設定できるものとする。
【００４２】
図１に示すように、ミッドソール２の踵部Ｈ（踵部段差面２ｅ）には、布帛６を介して踵側グリップ用アウトソール５ｇが設けられている。踵側グリップ用アウトソール５ｇは、踵部段差面２ｅの全面に設けられている。これにより、踵側グリップ用アウトソール５ｇは、単一の接地領域を構成している。
【００４３】
次に、図５と図６とを用いてシューズのソール構造体１の前足部Ｆが屈曲した場合の変形の態様について説明する。
【００４４】
図５と図６とに示すように、シューズのソール構造体１は、走行時等において接地した状態で踵部Ｈおよび中足部Ｍが地面から離間する方向に移動することで前足部Ｆにおける装着者の拇指球に対向する最大幅Ｗ１の位置（以下、単に「屈曲位置Ｐ」と記す）で屈曲される。シューズのソール構造体１は、屈曲位置Ｐよりもつま先側の領域で外側グリップ兼補強用アウトソール４ｃ、内側グリップ兼補強用アウトソール４ｄ、外側グリップ用アウトソール５ｄ、中央グリップ用アウトソール５ｅおよび内側グリップ用アウトソール５ｆが地面をグリップしている。
【００４５】
ミッドソール２の上面２ｃは、屈曲位置Ｐを中心とする一定の範囲で圧縮されている（図３薄墨部分参照）。また、ミッドソール２の上面２ｃは、圧縮剛性を高めるため平坦な面に形成されている。これにより、ミッドソール２の上面２ｃには、圧縮力に抗する方向に働く力（以下、単に「圧縮力の抗力」と記す）が屈曲位置Ｐを中心として一定の範囲に生じている（図３、図６の白塗小矢印Ｆ２参照）。
【００４６】
図５に示すように、外側グリップ兼補強用アウトソール４ｃおよび内側グリップ兼補強用アウトソール４ｄは、屈曲位置Ｐで屈曲されている。外側グリップ兼補強用アウトソール４ｃおよび内側グリップ兼補強用アウトソール４ｄは、二本の線状部材からなる補強部４ａ（図４参照）が屈曲度合いに応じて一定の範囲で引っ張られている（屈曲位置Ｐの薄墨部分参照）。これにより、外側グリップ兼補強用アウトソール４ｃおよび内側グリップ兼補強用アウトソール４ｄには、補強部４ａの引張力に抗する方向に働く力（以下、単に「引張力の抗力」と記す）が屈曲位置Ｐを中心として一定の範囲に生じている（白塗大矢印Ｆ４参照）。補強部４ａの引張力の抗力は、後述の基部５ａの引張力の抗力よりも大きい抗力が生じている。
【００４７】
ミッドソール２の前足部Ｆに設けられている外側グリップ用アウトソール５ｄ、中央グリップ用アウトソール５ｅおよび内側グリップ用アウトソール５ｆは、屈曲位置Ｐで屈曲されている。外側グリップ用アウトソール５ｄ、中央グリップ用アウトソール５ｅおよび内側グリップ用アウトソール５ｆは、それぞれ網目状に形成されている基部５ａが屈曲度合いに応じて一定の範囲で引っ張られている（屈曲位置Ｐの薄墨部分参照）。これにより、外側グリップ用アウトソール５ｄ、中央グリップ用アウトソール５ｅおよび内側グリップ用アウトソール５ｆには、基部５ａの引張力の抗力が屈曲位置Ｐを中心として一定の範囲に生じている（白塗小矢印Ｆ５参照）。
【００４８】
図６に示すように、ミッドソール２は、上面２ｃ（図２参照）の屈曲位置Ｐの近傍に発生している圧縮力の抗力により屈曲状態を戻すように力が生じている（白塗小矢印Ｆ４参照）。この力により、シューズのソール構造体１は、ミッドソール２の屈曲度合いに応じて屈曲位置Ｐを地面から離間させる方向の反発力が発生し（薄墨矢印ＦＲ参照）、屈曲位置Ｐよりもつま先側の部分が地面に向かって押圧される。
【００４９】
図５と図６に示すように、ミッドソール２の前足部Ｆに設けられている外側グリップ兼補強用アウトソール４ｃおよび内側グリップ兼補強用アウトソール４ｄは、それぞれの補強部４ａに生じている引張力の抗力により屈曲状態を戻そうとする力が生じている（白塗大矢印Ｆ４参照）。これにより、シューズのソール構造体１は、外側グリップ兼補強用アウトソール４ｃおよび内側グリップ兼補強用アウトソール４ｄの屈曲度合いに応じて屈曲位置Ｐを地面から離間させる方向の反発力が発生し（薄墨矢印ＦＲ参照）、屈曲位置Ｐよりもつま先側の部分が地面に向かって押圧される。
【００５０】
ミッドソール２の前足部Ｆに設けられている外側グリップ用アウトソール５ｄ、中央グリップ用アウトソール５ｅおよび内側グリップ用アウトソール５ｆは、それぞれに生じている基部５ａの引張力の抗力により屈曲状態を戻そうとする力が生じている（白塗大矢印Ｆ５参照）。これにより、シューズのソール構造体１は、外側グリップ用アウトソール５ｄ、中央グリップ用アウトソール５ｅおよび内側グリップ用アウトソール５ｆの屈曲度合いに応じて屈曲位置Ｐを地面から離間させる方向の反発力が発生し（薄墨矢印ＦＲ参照）、屈曲位置Ｐよりもつま先側の部分が地面に向かって押圧される。
【００５１】
このように構成することで、シューズのソール構造体１は、グリップ用アウトソール５が発生させる反発力と、ミッドソールの中足部Ｍの前足部Ｆ側端部からつま先側端部またはその近傍まで略直線状に連続して形成されているグリップ兼補強用アウトソール４が発生させる反発力との合力（薄墨矢印ＦＲ参照）によって、屈曲に対する反発力を増大させつつ、ミッドソール２の肉厚を薄くして全体重量を軽減させている。さらに、シューズのソール構造体１は、各アウトソールを単一の接地領域から構成することで屈曲による引張応力の集中を抑制して各アウトソールの変形を均一な状態に近づけている。すなわち、前足部Ｆの屈曲時に各アウトソールに加わる引張力がアウトソール全体に分散され、足長方向に延びる単一の接地領域ごとに引張力に抗する力が発生する。加えて、ミッドソール２の足裏側面の面である上面２ｃが溝や段差のない一様な平坦面に形成されているので、ミッドソールの上面２ｃ側の圧縮剛性が高くなるように構成されている。これにより、前足部Ｆの所定の部分が大きく屈曲した場合にも、その部分に対応する単一の接地領域で確実に反発力を得ることができる。前足部Ｆのつま先近傍から中足部Ｍにかけて屈曲度合いに応じた反発力を得ることができる。また、シューズのソール構造体１の各アウトソールは、ねじれ等が伴った屈曲が生じても各アウトソールが互いに影響することなく屈曲されるので前足部Ｆの足幅方向の屈曲の柔軟性を向上させ、シューズのソール構造体１の変形を阻害することがない。上記構成では、ミッドソールおよびアウトソールに反発力を得るためのみの樹脂パーツを設けた構成とは異なり、部品点数および重量が増加するのを抑制することもできる。
【００５２】
以上、本発明の実施形態についてシューズのソール構造体１は、ランニングシューズのソール構造体１として説明したがこれに限定されるものではなく、軽量性と反発性とが求められるシューズの構造体であればよい。また、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【符号の説明】
【００５３】
１    シューズのソール構造体
２    ミッドソール
４ｃ  外側グリップ兼補強用アウトソール
４ｄ  内側グリップ兼補強用アウトソール
５ｄ  外側グリップ用アウトソール
５ｅ  中央グリップ用アウトソール
５ｆ  内側グリップ用アウトソール
Ｈ    踵部
Ｍ    中足部
Ｆ    前足部
【図１】
0006615581.tif 000002
【図２】
0006615581.tif 000003
【図３】
0006615581.tif 000004
【図４】
0006615581.tif 000005
【図５】
0006615581.tif 000006
【図６】
0006615581.tif 000007